(57)【要約】      （修正有）【課題】角部の面取り部の意匠が左右に配される外壁板と調和した出隅柱を製造する方法を提供する。【解決手段】出隅柱の製造方法は、縦目地部及び横目地部と凸部平坦面からなる意匠面を有する外壁板を用意する外壁板用意ステップと、上記縦目地部３０３に平行な且つ上記縦目地部３０３の両側に２つの切断線を設定し、該切断線ｔ３−ｔ３、ｔ４−ｔ４に沿って上記外壁板を切断して、切断板片を生成する切断板片生成ステップと、上記縦目地部の底面３０３Ａの両側に沿って上記切断板片を切断し、２つの板材を生成する板材生成ステップと、上記板材の各々の切断面３３と裏面３２の間の角部を切削加工し、上記切断面と裏面の双方に対して４５度傾斜した切削加工面を形成する切削加工面３５形成ステップと、上記板材の切削加工面３５に接着剤を塗布し上記２つの板材を接合する接合ステップと、を含む。【選択図】図３
2006028841.tif 000002
【特許請求の範囲】
【請求項１】
互いに直角に交差する複数の縦目地部及び横目地部と該縦目地部及び横目地部によって区画された複数の凸部平坦面からなる意匠面と該意匠面と反対側の裏面とを有し、上記縦目地部は上記凸部平坦面に平行な底面と該底面の両側の且つ該底面より４５度傾斜した傾斜面とを有するように構成された外壁板を用意する外壁板用意ステップと、
上記縦目地部に平行な且つ上記縦目地部の両側に２つの切断線を設定し、該切断線に沿って上記外壁板を切断して、切断板片を生成する切断板片生成ステップと、
上記縦目地部の底面の両側に沿って上記切断板片を切断し、その切断面と上記凸部平坦面の間の角部に上記傾斜面によって形成された面取り部形成面を有する２つの板材を生成する板材生成ステップと、
上記板材の各々の切断面と裏面の間の角部を切削加工し、上記切断面と裏面の双方に対して４５度傾斜した切削加工面を形成する切削加工面形成ステップと、
上記板材の切削加工面に接着剤を塗布し、上記２つの板材を接合する接合ステップと、
を含む出隅柱の製造方法。
【請求項２】
請求項１記載の出隅柱の製造方法において、上記外壁板用意ステップにて用意した外壁板の上記縦目地部の傾斜面は、上記凸部平坦面と同一の模様及び色を有することを特徴とする出隅柱の製造方法。
【請求項３】
請求項１記載の出隅柱の製造方法において、上記外壁板用意ステップは、インクノズルに向けて上記外壁板を上記横目地部に平行な搬送経路に沿って搬送する搬送ステップと、上記外壁板の凸部平坦面と縦目地部を該凸部平坦面の幅にて順次印刷する印刷ステップと、を有し、該印刷ステップは、上記縦目地部の搬送方向の前半部は、該縦目地部の前方の凸部平坦面の印刷を延長することによって印刷し、上記縦目地部の搬送方向の後半部は、該縦目地部の後方の凸部平坦面の印刷を先行して実行することによって印刷することを特徴とする出隅柱の製造方法。
【請求項４】
互いに直交する２つの意匠面と該２つの意匠面の角部に形成された面取り部とを有し、上記面取り部は上記２つの意匠面の模様及び色と同一の模様及び色を有する出隅柱。
【発明の詳細な説明】
【技術分野】
【０００１】
本発明は出隅柱の製造方法及び出隅柱に関する。
【背景技術】
【０００２】
図５に示すように、建物の外壁施工では、出隅部には出隅柱５０が使用される。出隅柱５０としては、外壁板６０と同一の模様を有し、同一の材料からなる同質出隅が多く用いられている。図６Ａは出隅柱５０の外観の一例を示し、図６Ｂは外壁板６０の外観の一例を示す。ここに示す出隅柱５０は、上端に下実部５２を、下端に上実部５３を有する。出隅柱５０の下実部５２及び上実部５３は、外壁板６０の下実部６２及び上実部６３と同一の構造を有する。
【０００３】
特許第３３４０９２１号公報には、窯業系出隅柱の一般的な製造方法が開示されている。
【０００４】
図７を参照して、出隅柱の製造方法を説明する。図７（ａ）に示すように、材料となる外壁板７０を破線で示すような位置にて切断し、２枚の矩形の板材７１を得る。この板材７１の長さをｂ、幅をａ、厚さをｈとする。図７（ｂ）に示すように、この板材の長手方向の辺に沿ってテーパ面７２を形成する。このテーパ面７２は主面に対して４５度の角度にて傾斜している。図７（ｃ）に示すように、テーパ面７２が接合面となるように、２つの板材７１を接着剤で接合し、タッカー７３によって固定することで、図７（ｄ）に示す出隅柱が形成される。更に、図７（ｅ）に示すように、角部を削って面取り部７４、７５を形成する。面取り部７４、７５は、塗装が除去され基材が露出している。従って、この面取り部７４、７５に対しては、後から防水性の付与も兼ねて、補修塗装が行われる。
【０００５】
特許第３３２３１２６号公報には、出隅柱の面取り部の塗装を自動化した装置が開示されている。
【０００６】
【特許文献１】特許第３３４０９２１号公報
【特許文献２】特許第３３２３１２６号公報
【発明の開示】
【発明が解決しようとする課題】
【０００７】
通常、出隅柱の面取り部の塗装は、刷毛塗り、ローラ塗装等の手作業にて行われている場合が多い。また、塗装はどうしても単色になってしまうので、左右に配される外壁板の意匠面との調和が難しく、外観が損なわれることも多い。
【０００８】
本発明の目的は、左右に配される外壁板の意匠と調和する意匠を有する出隅柱とその製造方法を提供することにある。
【課題を解決するための手段】
【０００９】
本発明によると、出隅柱の製造方法は、互いに直角に交差する複数の縦目地部及び横目地部と複数の凸部平坦面からなる意匠面と該意匠面と反対側の裏面とを有し、上記縦目地部は上記凸部平坦面に平行な底面と該底面の両側の且つ該底面より４５度傾斜した傾斜面とを有するように構成された外壁板を用意する外壁板用意ステップと、上記縦目地部に平行な且つ上記縦目地部の両側に２つの切断線を設定し、該切断線に沿って上記外壁板を切断して、切断板片を生成する切断板片生成ステップと、上記縦目地部の底面の両側に沿って上記切断板片を切断し、その切断面と上記凸部平坦面の間の角部に上記傾斜面によって形成される面取り部形成面を有する２つの板材を生成する板材生成ステップと、上記板材の各々の切断面と裏面の間の角部を切削加工し、上記切断面と裏面の双方に対して４５度傾斜した切削加工面を形成する切削加工面形成ステップと、上記板材の切削加工面に接着剤を塗布し、上記２つの板材を接合する接合ステップと、を含む。
【発明の効果】
【００１０】
本発明によると出隅柱の意匠、特に、面取り部の意匠が左右に配される外壁板の意匠と整合するから、外観が優れた外壁を提供することができる。
【発明を実施するための最良の形態】
【００１１】
図１を参照して本発明による出隅柱の材料を説明する。本例では、出隅柱の材料として、出隅柱と組み合わせて使用する外壁板１００を使用する。図１に示す外壁板１００は、互いに直角に交差する多数の平行な横目地部１０２及び縦目地部１０３と、横目地部１０２及び縦目地部１０３によって区画された凸部平坦面１０１とからなる意匠面を有する。凸部平坦面１０１は、横目地部１０２と縦目地部１０３に囲まれ、縦横に整列して配置され、レンガ積み模様を呈している。
【００１２】
図２は、外壁板１００の縦目地部１０３の構造を拡大して示す。縦目地部１０３は、底面１０３Ａとその両側の傾斜面１０３Ｂ、１０３Ｃとを有し、この傾斜面１０３Ｂ、１０３Ｃは底面１０３Ａに対して４５度傾斜している。図示のように、縦目地部１０３の幅をＨ、底面１０３Ａの幅をｎ、傾斜面の幅をｍとする。縦目地部の幅Ｈは、次の式によって求められる。
【００１３】
Ｈ＝ｎ＋√２ｍ          （式１）
【００１４】
再び、図１に戻る。外壁板１００の１つの縦目地部１０３を中心とし、その両側に縦目地部１０３から距離ａの位置に、縦目地部１０３に平行な切断線ｔ１−ｔ１、ｔ２−ｔ２を設定する。この切断線に沿って、外壁板を切断する。それにより、幅が２ａ、長さがｂの切断板片が形成される。この切断板片が、出隅柱の材料となる。尚、長さｂは、外壁板１００の縦方向の寸法である。
【００１５】
図３を参照して出隅柱の製造方法を説明する。図３Ａは、出隅柱の材料となる切断板片３００の断面構成を示す。ここでは、切断板片３００の中央部分のみを示す。切断板片３００は中央に、縦目地部３０３を有し、縦目地部３０３は、底面３０３Ａとその両側の傾斜面３０３Ｂ、３０３Ｃとを有する。
【００１６】
図３Ａに示すように、底面３０３Ａの両端、即ち、底面３０３Ａと傾斜面３０３Ｂ、３０３Ｃの境界に沿った切断線ｔ３−ｔ３、ｔ４−ｔ４にて、切断板片３００を切断する。図３Ｂに示すように、２つの材料板３０、３０が形成される。この切断加工によって、切断面３３と凸部平坦面３１の角部には、出隅柱が形成された時に面取り部となる面取り部形成面３４が形成されている。この面取り部形成面３４は、図２に示した、外壁板１００の縦目地部１０３の傾斜面１０３Ｂ、１０３Ｃによって構成されたものであり、切断面３３と凸部平坦面３１の双方に対して４５度、傾斜している。
【００１７】
次に、材料板３０の切断面３３と裏面３２の間の角部を切削加工する。即ち、面取り部形成面３４の下端位置より、切断面３３と裏面３２の双方に対して４５度、傾斜した切削到達線ｔ５−ｔ５、ｔ６−ｔ６まで切削する。この切削加工によって、接合面３５、３５が形成される。この接合面３５は、面取り部形成面３４と直交している。
【００１８】
図３Ｃに示す接合面３５に接着剤を塗布し、左右２つの材料板３０を接合する。尚、図７において説明したように、タッカー留めが併用される。
【００１９】
図３Ｄは、製造された出隅柱４０の断面構成を示す。出隅柱４０は、第１及び第２の意匠面４１、４２、裏面４３、４４、及び、面取り部４５を有する。面取り部４５は、先述した２つの面取り部形成面３４が並列した状態で連続するように形成されており、この部分は、材料とした外壁板の縦目地部の傾斜面そのものになっていることから、当然既に塗装されている部分となっている。従って、本例の出隅柱の製造方法では、従来の製造方法のように、後から行う面取り部の防水加工及び塗装工程を省略することができる。
【００２０】
次に、面取り部４５に対する印刷方法について説明する。通常、外壁板の縦目地部及び横目地部は、凸部平坦面とは異なる単色にて塗装されている。従って、先述した方法でもって製造された出隅柱では、面取り部４５が外壁板の縦目地部の色と同一となってしまう。即ち、出隅柱４０の面取り部４５は、第１及び第２の意匠面４１、４２とは異なる色となり、違和感を引き起こしてしまう。そこで仮に、出隅柱４０の面取り部４５を左右の意匠面と同一柄模様にするものとすれば、柄模様の連続感が発現されるために、違和感をなくすことが可能となる。
【００２１】
図４を参照して、出隅柱の材料として使用する外壁板の印刷方法を説明する。ここでは、かかる面取り部４５に対して、インクジェット印刷法を使って、左右の意匠面と同様な同一柄模様状態が発現されるように印刷を施す。外壁板のインクジェット印刷を実行するには、先ず、印刷に先立って、意匠面全体に印刷下地を形成する。具体的には、意匠面全体に対して、下地色塗料をスプレー塗装する。下地色としては、例えば、白色やベージュ色などの淡色が好ましい。これは、インクジェット印刷によって発現される柄模様に対して、印刷下地色の影響をできるだけ少なく抑えることができるからである。
【００２２】
図４Ａは、印刷前の原板の意匠面の一部を拡大して示す上面図である。図中、１０２が横目地部、１０３が縦目地部、１０１Ａ、１０１Ｂが凸部平坦面である。ここでは、外壁板は、横目地部１０２に平行な搬送経路に沿って搬送されるものとする。図４Ｂは、図４Ａに示す図と対応しており、印刷前の原板の一部を拡大して示す断面図である。
【００２３】
印刷下地が形成されてから、外壁板の意匠面に対して印刷を行う。ここでは、意匠面は、凸部平坦面１０１Ａに縦目地部１０３が続き、更に凸部平坦面１０１Ｂが続いているといった状態を示しており、この順番でもって、連続して各部分に対する印刷を連続して行う。
【００２４】
凸部平坦面１０１Ａと凸部平坦面１０１Ｂに発現させる柄模様は同一であってもよいし、異なっていてもよく任意の柄模様が印刷される。通常の印刷の場合には、縦目地部１０３や横目地部１０２に対しては印刷を行わずに、印刷下地色をそのまま発現させるが、本発明では、出隅柱を製造することを目的とした専用の外壁板を得るために、敢えて縦目地部１０３に対しても印刷を行う。
【００２５】
具体的には、図４Ｂに示す縦目地部１０３を構成する底面１０３Ａと両傾斜面１０３Ｂ及び１０３Ｃに対して印刷を行う。そして図４Ａに示すように、凸部平坦面１０１Ａに対する印刷に続いて、同印刷幅でもって連続して縦目地部１０３に対する印刷を実行する。この場合、縦目地部１０３の中心線Ｐ−Ｐを中心に前半分の被印刷領域４０１Ａと、後ろ半分の被印刷領域４０１Ｂとに２分し（方向が異なる斜線で区別して示す）、被印刷領域４０１Ａに対しては、凸部平坦面１０１Ａに対する印刷の延長印刷を実行させ、被印刷領域４０１Ｂに対しては、凸部平坦面１０１Ｂに対する印刷の先行印刷を実行させる。
【００２６】
したがって、図４Ａに示すように、印刷幅Ｌでもって、凸部平坦面１０１Ａの印刷を行い、続いて、その延長印刷を被印刷領域４０１Ａについて行い、続いて、凸部平坦面１０１Ｂの先行印刷を被印刷領域４０１Ｂについて行い、続いて、凸部平坦面１０１Ｂの印刷を行う。これらの各印刷は連続して行われ、モードの切り替えなど一切行わずに、連続印刷が実行される。
【００２７】
この結果、被印刷領域４０１Ａには、凸部平坦面１０１Ａと同様な柄模様が連続して印刷され、被印刷領域４０１Ｂには、凸部平坦面１０１Ｂと同様な柄模様が連続して印刷される。
【００２８】
上記の一連の印刷制御は、印刷幅Ｌ＊原板の長手方向寸法（搬送方向の寸法）の被印刷領域に対する印刷制御データを作成することによって実行される。具体的には、印刷ヘッドにおけるインクノズルの直下の位置を、縦目地部の前端ｘ１が通過してから、縦目地部の中点ｘ２が通過するまでの時間ｔは、次の式によって求められる。
【００２９】
ｔ＝Ｈ／（２ｖ）              （式２）
【００３０】
Ｈは、縦目地部の幅、ｖは原板の搬送速度であり、一定値である。Ｈは式１によって求めてもよい。そして、同時間ｔを経過したときに、縦目地部の後端部ｘ３が通過することになる。したがって、印刷幅Ｌ＊原板の長手方向寸法の被印刷領域に発現させようとする柄模様データを時間関数に変換して、インクノズルの噴射制御データとして作成すればよい。
【００３１】
次に、上述した延長印刷と先行印刷内容について説明する。外壁板の意匠面に発現させようとする柄模様を設計する際に、例えば図４Ａに示す凸部平坦面１０１Ａに発現すべき柄模様を、前後に先行印刷領域と延長印刷領域とにはみ出した拡張領域に対して展開すればよい。厳密に言えば、縦目地部の印刷に対しては、インク滴の噴射距離が、凸部平坦面と比べて変化することになるが、インク滴の飛跳速度が、原板の走行速度に比べて、相当に速いので、柄ずれの発生は無視できる。
【００３２】
以上、本発明の例を説明したが、本発明は上述の例に限定されるものではなく、特許請求の範囲に記載された発明の範囲にて様々な変更が可能であることは当業者に理解されよう。
【図面の簡単な説明】
【００３３】
【図１】本発明による出隅柱の材料である外壁板を示す図である。
【図２】外壁板の縦目地部の構造を説明するための説明図である。
【図３】本発明による出隅柱の製造方法を説明するための説明図である。
【図４】本発明による外壁板の印刷方法を説明するための説明図である。
【図５】出隅柱を使用する建物の外壁施工を示す図である。
【図６】出隅柱と外壁板の概観を示す図である。
【図７】従来の出隅柱の製造方法を説明するための説明図である。
【符号の説明】
【００３４】
１００…外壁板、１０１…凸部平坦面、１０２…横目地部、１０３…縦目地部、１０３Ａ…底面、１０３Ｂ、１０３Ｃ…傾斜面
【図１】
2006028841.tif 000003
【図２】
2006028841.tif 000004
【図３】
2006028841.tif 000005
【図４】
2006028841.tif 000006
【図５】
2006028841.tif 000007
【図６】
2006028841.tif 000008
【図７】
2006028841.tif 000009